(57)【要約】      （修正有）【課題】重りが飛び出すことのない、安全な練習用のバットを提供する。【解決手段】木製のバット本体１を備え、バット本体１の先端側から中心軸に沿って断面円形の挿入穴２を形成してあり、挿入穴２は、開口側の小径部２１と、奥側の大径部２２からなり、小径部２１と大径部２２の境界が段部２３となっており、挿入穴２内に、金属製の重り棒３と、樹脂４を投入してあり、重り棒３は、表面に突起３１を有していて、一端が挿入穴２の底部に当接しており、他端が段部２３に係止しており、樹脂４は、挿入穴２を満たして硬化している。【選択図】図１
0003203562.tif 000002
【実用新案登録請求の範囲】
【請求項１】
木製のバット本体を備え、
バット本体の先端側から中心軸に沿って断面円形の挿入穴を形成してあり、
挿入穴は、開口側の小径部と、奥側の大径部からなり、小径部と大径部の境界が段部となっており、
挿入穴内に、金属製の重り棒と、樹脂を投入してあり、
重り棒は、表面に突起を有していて、一端が挿入穴の底部に当接しており、他端が段部に係止しており、
樹脂は、挿入穴を満たして硬化していることを特徴とするバット。
【考案の詳細な説明】
【技術分野】
【０００１】
本考案は、重量を調整した練習用のバットに関する。
【背景技術】
【０００２】
従来、野球の練習において、試合用のバットよりも重く作った練習用のバットを用いた打撃練習が行われている。この練習は、重いバットを用いることで、筋力を強化し、スイングスピードを速めようとするものである。この練習用のバットの構造は、図３に示すようなものであり、木製のバット本体１０１の先端側から中心軸に沿って断面円形の挿入穴１０２を形成してあり、金属製で円柱形状の重り棒１０３に接着剤を塗布し、挿入穴１０２に挿入して固定してあった。
【考案の概要】
【考案が解決しようとする課題】
【０００３】
しかしながら、このような従来のバットにおいては、打撃を繰り返すうちに、接着剤がはがれてバット本体１０１と重り棒１０３が分離し、スイング時に重り棒１０３が飛び出して周囲に危険を及ぼすおそれがあった。
【０００４】
本考案は、上記事情を鑑みたものであり、重りが飛び出すことのない、安全な練習用のバットを提供することを目的とする。
【課題を解決するための手段】
【０００５】
本考案は、木製のバット本体を備え、バット本体の先端側から中心軸に沿って断面円形の挿入穴を形成してあり、挿入穴は、開口側の小径部と、奥側の大径部からなり、小径部と大径部の境界が段部となっており、挿入穴内に、金属製の重り棒と、樹脂を投入してあり、重り棒は、表面に突起を有していて、一端が挿入穴の底部に当接しており、他端が段部に係止しており、樹脂は、挿入穴を満たして硬化していることを特徴とする。
【考案の効果】
【０００６】
本考案によれば、金属製の重り棒により重量が増加されるものであって、重り棒が挿入穴の内側の段部に係止しており、さらに樹脂が重り棒の突起に絡んで硬化しているので、スイング時に重り棒が飛び出すことがなく、安全である。
【図面の簡単な説明】
【０００７】
【図１】本考案のバットの構造を示す説明図である。
【図２】本考案のバットの全体図である。
【図３】従来の練習用のバットの構造を示す説明図である。
【考案を実施するための形態】
【０００８】
本考案のバットの具体的な構成について、各図面に基づいて説明する。このバットは、竹の集成材から削り出して形成したバット本体１を備え、図２に示すように、その外形は通常のバットと同様のものである。すなわち、先端側（図中の上側）から、先端側に向けて丸まった形状のヘッド部１１、略円柱形状の打撃部１２、基端側に向けて直径が小さくなるテーパ部１３及び打撃部１２より細い略円柱形状のグリップ部１４を形成してある。
【０００９】
また、図１に示すように、バット本体１の先端側から、中心軸に沿って断面円形の挿入穴２を形成してある。挿入穴２は、開口側（先端側）と奥側（基端側）とで直径が異なっており、開口側が、直径の小さい小径部２１、奥側が、直径の大きい大径部２２となっている。小径部２１は、バット本体１のヘッド部１１から打撃部１２の先端側部分にわたって形成してあり、大径部２２は、バット本体１の打撃部１２の先端側部分を除いた略全長にわたって形成してある。そして、小径部２１と大径部２２の境界は、中心軸に略直交する面を有する段部２３となっている。
【００１０】
さらに、挿入穴２内には、重り棒３と、樹脂４と、砂鉄５を投入してある。重り棒３は、鉄筋コンクリート構造などに用いられる、いわゆる異形鉄筋からなり、鋼鉄製で、断面円形であって、表面には長手方向に沿って複数の突起３１を連続して形成してあり、凹凸状となっている。樹脂４は、不飽和ポリエステルからなるものであって、一般にＦＲＰの母材として用いられるものである。
【００１１】
続いて、挿入穴２内の各要素の構成について、製造の手順に沿って説明する。バット本体１に挿入穴２を形成した後、まず、挿入穴２に砂鉄５を流し込む。砂鉄５は、バットの重量の微調整のために投入するものであり、重り棒３と併せて所望の重量となるように、投入量を定める。次に、挿入穴２に重り棒３を挿入する。重り棒３は、図１に示すように、挿入穴２の大径部２２に斜め向きにして丁度納まる長さであって、一端（バットの基端側）を砂鉄５に潜り込ませて挿入穴２の底部の半径方向一方側（図１の下側）に当接させてあり、他端（バットの先端側）を挿入穴２の段部２３の半径方向他方側（図１の上側）に係止させてある。次に、挿入穴２に液状の樹脂４を流し込む。この際、樹脂４が挿入穴２内の隅々まで行き渡るように、ゆっくりと投入する。樹脂４は、挿入穴２を満たし、二日間程度かけて、挿入穴２の内周面、砂鉄５及び重り棒３の突起３１をかみ込みながら硬化する。そして、挿入穴２（小径部２１）の開口部に、略円柱形状でバット本体１と同じ素材からなる蓋６を嵌め込み、開口部を塞ぐ。
【００１２】
なお、通常のバットの重量は９００ｇ程度であるが、本考案のバットでは、重り棒３と砂鉄５により重量が増加される。特に、砂鉄５の量を増減することで、重量の微調整が可能であり、たとえば、１１００ｇ〜１５００ｇまで１００ｇごとに重量を異ならせたバットを製造することも容易である。
【００１３】
このように構成した本考案のバットによれば、鋼鉄製の重り棒３および砂鉄５により重量が増加されるものであって、砂鉄５により重量の微調整も容易であるから、使用者の技能や体格に合った重量のものを容易に製造可能であり、これによって、筋力を強化し、スイングスピードを速めることができる。そして、重り棒３が挿入穴２の内側の段部２３に係止しており、さらに樹脂４が重り棒３の突起３１に絡んで硬化しているので、打撃による力が作用しても、スイング時に重り棒３が飛び出すことがなく、安全である。さらに、重り棒３、樹脂４及び砂鉄５はすべて挿入穴２の内部に納まっていて、挿入穴２の開口部はバット本体１と同じ素材の蓋６により塞がれているので、外形・外観は通常のバットと全く同じであり、使用、持ち運びや収納に関して、通常のバットと同様に取り扱うことができる。
【００１４】
本考案は、上記の実施形態に限定されない。たとえば、バット本体の素材は、竹の集成材に限られず、タモ、メイプル、ヒッコリーなど、種々の木の無垢材または集成材であってもよい。また、重り棒は、挿入穴に複数本を投入してもよい。さらに、砂鉄は必ずしも必要ではなく、また増減により重量調整できるものであれば、砂鉄以外のものを用いてもよい。また、樹脂は、挿入穴の内部で硬化して重り棒や砂鉄の位置を固定できるものであれば、不飽和ポリエステル樹脂のほか、エポキシ樹脂、ポリアミド樹脂、フェノール樹脂など、どのようなものであってもよいが、硬化した状態である程度弾性を有するものである方が、打撃により作用する力を吸収できるので望ましい。さらに、挿入穴への各部材の投入順序は、上記の順序に限られず、最終的に図１に示すような構成になればよい。
【符号の説明】
【００１５】
１  バット本体
２  挿入穴
３  重り棒
４  樹脂
２１  小径部
２２  大径部
２３  段部
３１  突起
【図１】
0003203562.tif 000003
【図２】
0003203562.tif 000004
【図３】
0003203562.tif 000005